(57)【要約】 【課題】  注文飲食客から多数の注文があった場合にも、搬送者がその都度注文客の席情報を入力することなく、注文飲食物を確認するだけで効率よく注文飲食物を注文飲食客に搬送することができる注文搬送装置を提供すること。【解決手段】  注文飲食客が注文品種を入力する入力手段２４と、座席位置情報と注文飲食物Ｎの品種と発送ボタンを表示するディスプレイ装置２０と、入力手段２４からの信号に応じてディスプレイ装置２０を表示させる制御装置１８とを備え、注文飲食物Ｎを載せた飲食物容器８を注文搬送路２ａに載せて発送ボタンを作動させることで注文搬送装置２を駆動制御し、飲食物容器８を注文飲食客位置で停止させる。職人は、注文飲食物が注文飲食客の注文品種と合致しているかを判断して発送ボタンを作動させるだけで正確に注文飲食物を注文飲食客の所まで搬送停止させることができる。【選択図】  図３
2005185327.tif 000002
【特許請求の範囲】
【請求項１】
飲食客エリア内で飲食物を容器に載置して循環する無端状の循環搬送路を備える循環型飲食物搬送装置の近傍に設けられた、注文飲食物を注文飲食客に搬送する注文搬送装置であって、注文飲食客が注文品種を入力する入力手段と、客位置情報と注文飲食物品種と発送指示手段が表示可能な表示手段と、前記入力手段からの信号に応じて表示手段を表示させる制御装置とを備え、注文飲食物容器を注文搬送装置の搬送路上に載せて発送指示手段を作動させることにより、注文搬送装置が制御装置により駆動制御され、該注文飲食物容器が注文飲食客位置で停止することを特徴とする注文飲食物を搬送する注文搬送装置。
【請求項２】
前記注文飲食物容器が注文搬送装置の搬送路上に載っている場合には、次の発送指示手段が無効となる請求項１に記載の注文飲食物を搬送する注文搬送装置。
【請求項３】
前記入力手段は各飲食客の座席近傍に配備されている請求項１または２に記載の注文飲食物を搬送する注文搬送装置。
【請求項４】
前記表示手段は注文搬送装置の搬送始端部近傍に配備されている請求項１ないし３の何れかに記載の注文飲食物を搬送する注文搬送装置。
【請求項５】
前記発送指示手段はタッチパネル式ボタンである請求項１ないし４の何れかに記載の注文飲食物を搬送する注文搬送装置。
【請求項６】
前記注文飲食物容器が所定時間以上注文搬送路上で停止した場合には、注文搬送装置の停止作動が解除される請求項１ないし５の何れかに記載の注文飲食物を搬送する注文搬送装置。
【請求項７】
前記注文搬送装置の搬送終端部は排出路側に連結されている請求項１ないし６の何れかに記載の注文飲食物を搬送する注文搬送装置。
【請求項８】
前記排出路は前記循環搬送路に連結されている請求項７に記載の注文飲食物を搬送する注文搬送装置。
【請求項９】
前記飲食客の座席近傍には注文搬送装置の停止作動に対応して応答する注文告知手段が配備されている請求項１ないし８の何れかに記載の注文飲食物を搬送する注文搬送装置。
【請求項１０】
前記注文搬送路は前記循環型飲食物搬送装置内に設けられている請求項１ないし９の何れかに記載の注文飲食物を搬送する注文搬送装置。
【発明の詳細な説明】
【技術分野】
【０００１】
本発明は、飲食客エリア内で飲食物を容器に載置して循環する無端状の循環搬送路を備える循環型飲食物搬送装置の近傍において、注文飲食物を注文飲食客に搬送する注文搬送装置に関する。
【背景技術】
【０００２】
例えば、回転寿司と称されている寿司店の循環型飲食物搬送装置は、飲食カウンター等の飲食台に沿って設けられ、無端回走するクレセントチェーンコンベヤ等よりなる循環搬送路上に、寿司等を盛り付けした飲食皿を載置して、飲食客エリアを循環搬送させることにより、客に飲食物を提供するようになっている（特許文献１参照）。
【０００３】
そして、上記のような循環型飲食物搬送装置において、飲食客が循環搬送路上に載置されていない飲食物を注文したときは、店員がその都度、注文飲食客に直接手渡すか、座席番号００番の注文品と書いた表示物と一緒に通常の搬送路に注文飲食物を投入して、その座席番号の飲食客だけが採れるように搬送していた。
【０００４】
【特許文献１】特開平１１−４６９５６号公報（第２，３頁、図１）
【発明の開示】
【発明が解決しようとする課題】
【０００５】
しかしながら、より多くの飲食客を収納できるようにした大型店舗が増加している現況において、繁盛時には多くの注文飲食客から注文を受けるので、注文飲食物を直接店員が移動して手渡すには多くの店員を動員させなければならず、また店員が飲食物を持ちながら飲食客の後をうろうろすること自体好感のもてるものではなかった。そのような事態を打開すべく、本出願人は、注文客に注文飲食物を届けることができる専用の注文搬送装置を循環搬送路の近傍に設けたものを開発した（特願２００２−３５９３８０号）。
【０００６】
このように専用の注文搬送路を設けたために、直接店員が移動して手渡すことはなくなったが、注文飲食物を注文客に正確に届けるためには、注文飲食物に対応した注文客の席情報を入力して搬送していた。しかしながら搬送毎に注文客の席情報を入力していると、時には入力ミスにより、注文飲食物が注文客に届かないような不手際が生じ、混雑時には円滑に注文搬送を裁くことが出来ない事態も起こる恐れがあった。
【０００７】
本発明は、このような問題点に着目してなされたもので、注文飲食客から多数の注文があった場合にも、搬送者がその都度注文客の席情報を入力することなく、注文飲食物を確認するだけで効率よく注文飲食物を注文飲食客に搬送することができる注文搬送装置を提供することを目的とする。
【課題を解決するための手段】
【０００８】
上記の目的を解決するために、本発明の請求項１に記載の注文飲食物を搬送する注文搬送装置は、飲食客エリア内で飲食物を容器に載置して循環する無端状の循環搬送路を備える循環型飲食物搬送装置の近傍に設けられた、注文飲食物を注文飲食客に搬送する注文搬送装置であって、注文飲食客が注文品種を入力する入力手段と、客位置情報と注文飲食物品種と発送指示手段が表示可能な表示手段と、前記入力手段からの信号に応じて表示手段を表示させる制御装置とを備え、注文飲食物容器を注文搬送装置の搬送路上に載せて発送指示手段を作動させることにより、注文搬送装置が制御装置により駆動制御され、該注文飲食物容器が注文飲食客位置で停止することを特徴としている。
この特徴によれば、注文飲食客から注文品種が入力された場合に、制御装置を介して表示手段に客位置情報と注文飲食物品種と発送指示手段が表示されるので、搬送者は注文飲食物が注文飲食客の注文品種と合致しているかを判断して発送指示手段を作動させるだけでよく、発送毎に客位置情報を入力する必要がないので正確に注文飲食物を注文飲食客の所まで搬送停止させることができる。
【０００９】
本発明の請求項２に記載の注文飲食物を搬送する注文搬送装置は、請求項１に記載の注文飲食物を搬送する注文搬送装置であって、前記注文飲食物容器が注文搬送装置の搬送路上に載っている場合には、次の発送指示手段が無効となることを特徴としている。
この特徴によれば、例えば物品感知センサーを用いて注文搬送装置の搬送路上に注文飲食物容器を感知した場合には、次の注文飲食物容器が発送されないので注文飲食物容器毎に確実に注文飲食物を注文飲食客に移送させることができる。
【００１０】
本発明の請求項３に記載の注文飲食物を搬送する注文搬送装置は、請求項１または２に記載の注文飲食物を搬送する注文搬送装置であって、前記入力手段は各飲食客の座席近傍に配備されていることを特徴としている。
この特徴によれば、各飲食客は座った位置から入力手段を介して自由に飲食物を注文することができる。
【００１１】
本発明の請求項４に記載の注文飲食物を搬送する注文搬送装置は、請求項１ないし３のいずれかに記載の注文飲食物を搬送する注文搬送装置であって、前記表示手段は注文搬送装置の搬送始端部近傍に配備されていることを特徴としている。
この特徴によれば、注文飲食物が注文飲食客の注文品種と合致しているかどうかの確認と発送指示が搬送始端部近傍で行えるので、搬送者は注文飲食物容器を注文搬送装置に投入しながら発送指示の操作が行える。
【００１２】
本発明の請求項５に記載の注文飲食物を搬送する注文搬送装置は、請求項１ないし４のいずれかに記載の注文飲食物を搬送する注文搬送装置であって、前記発送指示手段はタッチパネル式ボタンであることを特徴としている。
この特徴によれば、発送指示手段を軽く触れるだけで注文搬送装置を駆動させることができる。
【００１３】
本発明の請求項６に記載の注文飲食物を搬送する注文搬送装置は、請求項１ないし５のいずれかに記載の注文飲食物を搬送する注文搬送装置であって、前記注文飲食物容器が所定時間以上注文搬送路上で停止した場合には、注文搬送装置の停止作動が解除されることを特徴としている。
この特徴によれば、注文飲食物容器が所定時間たっても採られなければ、再び注文搬送装置が駆動して、次の注文飲食物容器の投入に備えることができる。
【００１４】
本発明の請求項７に記載の注文飲食物を搬送する注文搬送装置は、請求項１ないし６のいずれかに記載の注文飲食物を搬送する注文搬送装置であって、前記注文搬送装置の搬送終端部は排出路側に連結されていることを特徴としている。
この特徴によれば、注文飲食物容器が注文飲食者により採られなかった場合でも、注文飲食物容器を排出路に搬出できるから、次の注文飲食物容器を注文搬送路に搬入させることができる。
【００１５】
本発明の請求項８に記載の注文飲食物を搬送する注文搬送装置は、請求項７に記載の注文飲食物を搬送する注文搬送装置であって、前記排出路は前記循環搬送路に連結されていることを特徴としている。
この特徴によれば、注文飲食者に採られなかった注文飲食物を通常の循環搬送路に合流させることにより、飲食物の無駄をなくすことができる。
【００１６】
本発明の請求項９に記載の注文飲食物を搬送する注文搬送装置は、請求項１ないし８のいずれかに記載の注文飲食物を搬送する注文搬送装置であって、前記飲食客の座席近傍には注文搬送装置の停止作動に対応して応答する注文告知手段が配備されていることを特徴としている。
この特徴によれば、注文飲食物容器が当該注文飲食者の座席位置近傍で停止することが分かっているので、事前に、又は停止時に注文飲食客に採り忘れがないようにブザーやランプ等の注文告知手段により注意を喚起させることができる。
【００１７】
本発明の請求項１０に記載の注文飲食物を搬送する注文搬送装置は、請求項１ないし９のいずれかに記載の注文飲食物を搬送する注文搬送装置であって、前記注文搬送路は前記循環型飲食物搬送装置内に設けられていることを特徴としている。
この特徴によれば、飲食者にとって通常飲食物も注文飲食物も採りやすい位置に循環型飲食物搬送装置と注文搬送装置とをコンパクトにまとめて構築できる。
【発明を実施するための最良の形態】
【００１８】
本発明の実施例を以下に説明する。
【実施例１】
【００１９】
本発明の実施例を図面に基づいて説明すると、先ず図1は本発明の実施例に係る注文搬送路であって、無端状循環搬送路とその近傍上部に配設され注文飲食物を搬送する注文搬送路を横切る断面図であり、図２は図１の実施例１にいて、注文搬送装置に立体回走型の循環チェーンコンベヤを使用した注文搬送路の平面図であり、図３は厨房側から注文飲食物容器を発送する際に客位置情報、注文飲食物品種に対応して表示される発送ボタンの操作説明図である。
【００２０】
先ず図1及び図２に示す符号１は、通常の循環型飲食物搬送装置（以下飲食物搬送装置と称する）であって、この飲食物搬送装置１は、例えば無端状のクレセントチェーンコンベヤで構成された搬送路１２ａ，１２ｂから成る往復路を有し、隔壁Ｗ（図２参照）で仕切られた厨房エリア内から注文飲食物Ｎを注文飲食物容器８に載置して飲食客エリア内を回走し、再び厨房エリアに戻るようになっている。
【００２１】
更に、搬送路１２ａ，１２ｂの側面には対面式の飲食カウンター４ａ，４ｂが配設されており、これら飲食カウンター４ａ，４ｂには複数の飲食客の座席６が搬送方向に沿って所定間隔で配設されている。
【００２２】
詳しくは、図１に示すように両搬送路１２ａ，１２ｂの中間に形成された支持台１１上部には、搬送方向に沿う複数の支柱７が所定間隔毎に立設しており、これら支柱７間に設けられた保持枠Ｈには対面側の飲食客の視界から遮る仕切板５が取り付けられている。
【００２３】
そして、両搬送路１２ａ，１２ｂの中間部上方には、飲食客から注文された注文飲食物Ｎを載置する飲食物容器８を搬送するトレーＴを備えた注文搬送装置２が配設されている。このように注文搬送装置２は、飲食物搬送装置１を構成する両搬送路１２ａ，１２ｂ内の中間部上方に設けられているので、飲食者にとって通常飲食物も注文飲食物も採りやすい位置に飲食物搬送装置１と注文搬送装置２とをコンパクトにまとめて構築することができる。
【００２４】
詳しくは、厨房エリア内には、飲食客が注文した各種注文飲食物Ｎを載置した注文飲食物容器８を一時載置することができるストックヤードＰ１が注文搬送装置２の注文搬送路２ａの始端側に配設されており、またこの始端側近傍には制御装置１８に接続された表示手段となるディスプレイ装置２０が配設されている。
【００２５】
注文搬送装置２は、図1に示すように、各支柱７の頂部に設けられたＵ字状支持枠Ｆ１の底枠上に支持された案内レール１３上にトレーＴが飲食客エリアに向けて走行可能に支持されており、このトレーＴは、前後に配置された図示しない一対のスプロケットに係止されて水平に折り返される無端チェンＣ１，Ｃ２の一側チェンＣ１に連結されている。
【００２６】
更に注文搬送装置２は、通常の飲食物搬送装置１より高いところにあるので区別することができ、注文飲食物を通常の飲食物であると他の飲食客が誤解して途中で採ってしまうことを防ぐことができる。
【００２７】
図１に示す実施例では注文飲食物を移送するのにチェンＣ１に牽引されるトレーＴを用いているが、図２に示すように立体回走型の循環チェーンコンベヤや、磁石牽引型搬送装置のようにトレーＴを用いることなく飲食物容器８を搬送できるタイプのものを使用することも可能である。
【００２８】
また、飲食カウンター４ａ，４ｂ前の座席に対応する下部フレームＦの前面には、厨房エリア側への注文伝達手段となるインターフォン１５，１６等が取り付けられており、その座席に着席した飲食客は、インターフォン１５，１６のボタン１５ａ，１６ａを押すことで好みの飲食物を厨房側に口頭で注文できるようになっている。
【００２９】
従って、飲食客はインターフォン１５，１６等により手軽に注文することができる。尚、入力手段としてはインターフォンに限らず図２に示すような座席番号と注文品種を指のタッチにより入力するタッチパネル２４でもよく、飲食客の座席近傍に配置されるタッチパネル２４の近傍には、注文搬送路２ａの停止作動に対応して応答する注文告知手段となる告知ランプ２２（図２参照）も配備されている。
【００３０】
また、図３に示すように、入力手段を介して各飲食客から注文された注文品種（ネタ種）は、厨房内のディスプレイ装置２０に客位置情報としての座席番号と共に順次表形式で表示され、それらの横列には発送指示手段となる発送ボタンが表示される。
【００３１】
そこで、ディスプレイ装置２０上に座席番号００６に対応して表示される注文飲食物の品種としてマグロＮを載せた注文飲食物容器８は注文搬送路２ａの始端上に載せられた状態となっており、マグロに対応して表示されるタッチパネル式の発送ボタンを職人が押すことで注文搬送装置２が起動され、例えば、座席位置とパルスモータの駆動による移動距離を関連付けることで前記注文飲食物容器８を該当する座席番号００６まで正確に移送し停止させることができる。
【００３２】
また、ディスプレイ装置２０上に表示される次に注文された注文品種としてのイカＮ’を載せた注文飲食物容器８’は、注文搬送路２ａの始端近傍に配置されるストックヤードＰ１上に載置されており、先の注文飲食物容器８が飲食客によって注文搬送路２ａ上から取られたことが図示しないセンサーなどで確認されると、注文搬送路２ａの始端上に次の注文品種としてのイカＮ’を載せた注文飲食物容器８’を載置した状態で、対応する発送ボタンが職人によって押されると注文搬送装置２が起動して注文飲食物容器８’は座席番号０５７まで移送される。
【００３３】
このように、ディスプレイ装置２０上で、注文飲食物が注文飲食客の注文品種と合致しているかどうかの確認と、タッチパネル式の発送ボタンによる発送指示が注文搬送路２ａの始端部近傍で行えるので、職人は注文飲食物容器８を注文搬送路２ａに投入しながら発送ボタンの操作が行える。そして従来のように、客席情報を入力する必要がないので、注文先を間違えるようなことは起きない。
【００３４】
また、座席番号００６まで移送された注文飲食物容器８が注文客によって採られずに所定時間以上注文搬送路２ａ上で停止した場合には、注文搬送装置２の停止状態が解除されて再び駆動されて次の注文飲食物容器８’の投入に備えることができる。
【００３５】
更に、注文搬送路２ａの終端には排出路となる搬送装置２５が連結されており、所定時間の間に採られなかった注文飲食物容器８は搬送装置２５を介して回収容器などに回収することができるので、次の注文飲食物容器８’を注文搬送路２ａに搬入することができる。尚、排出路となる搬送装置２５は図２に示す飲食物搬送装置１に連結することもでき、注文飲食者に採られなかった注文飲食物容器８を通常の飲食物搬送装置１に合流させることにより、飲食物の無駄をなくすことができる。
【００３６】
そしてまた、飲食客の座席近傍には注文搬送路２ａの停止作動に対応して応答する注文告知手段２２としてのブザーやランプ等が設けられており、予め注文飲食者が注文した注文品種を載せた注文飲食物容器８は、制御装置からの指令でその座席位置近傍で停止するように制御され同時にブザーやランプ等も作動制御させ、あるいは注文飲食物容器８が到達する前に、注文飲食客に採り忘れがないようにブザーやランプ等により注意を喚起させることができる。
【００３７】
以上、本発明の実施例を図面により説明してきたが、具体的な構成はこれら実施例に限られるものではなく、例えば、発送ボタンを職人が押すことで注文搬送装置が起動される駆動方式に代えて、注文搬送装置は絶えず駆動されていて、発送ボタンを押すことで注文飲食物容器の移動を拘束していたストッパーが解除されて飲食物容器が搬送され、注文飲食客のところで停止するようにした搬送駆動制御方式であってもよい。
【図面の簡単な説明】
【００３８】
【図１】本発明の実施例に係る注文搬送路であって、無端状循環搬送路とその近傍上部に配設され注文飲食物を搬送する注文搬送路を横切る断面図である。
【図２】本実施例における注文搬送路の平面図である。
【図３】厨房側から注文飲食物容器を発送する際に客位置情報、注文飲食物品種に対応して表示される発送ボタンの操作説明図である。
【符号の説明】
【００３９】
１                飲食物搬送装置（循環型飲食物搬送装置）
２                注文搬送装置
２ａ              注文搬送路
４ａ，４ｂ        飲食カウンター
５                仕切板
６                座席
７                支柱
８                飲食物容器
１１              支持台
１２ａ，１２ｂ    搬送路
１３              案内レール
１５，１６        インターフォン（入力手段）
１５ａ，１６ａ    ボタン
１８              制御装置
２０              ディスプレイ装置（表示手段）
２２              告知ランプ（注文告知手段）
２４              タッチパネル（入力手段）
２５              搬送装置（排出路）
Ｃ１，Ｃ２        無端チェン
Ｆ                下部フレーム
Ｆ１              Ｕ字状支持枠
Ｈ                保持枠
Ｎ                注文飲食物
Ｐ１              ストックヤード
Ｔ                トレー
Ｗ                隔壁
【図１】
2005185327.tif 000003
【図２】
2005185327.tif 000004
【図３】
2005185327.tif 000005